(57)【特許請求の範囲】
【請求項１】
吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備し、ミストノズルから温水のミストを噴霧すると共に温風を送風するミストサウナ運転を実行可能な浴室暖房乾燥装置であって、浴室の乾燥を行うにあたって操作器の乾燥スイッチが操作されたときに、ミストサウナ運転の終了後一定時間内であるか否かが判定されると共に浴室内の温度が所定温度以上であるか否かが判定され、ミストサウナ運転の終了後一定時間内であるか、または浴室内の温度が所定温度以上であるときには、先に吸い込み口から浴室内の空気を吸い込んで一部の空気を屋外に排気すると共に残りの空気を吹き出し口から浴室内に吹き出す涼風運転が所定時間行われてから換気と温風の送風をする加熱乾燥運転が行われ、ミストサウナ運転の終了後一定時間以上経過し且つ浴室内の温度が所定温度以下であるときには、前記涼風運転が行われずに直ぐに前記加熱乾燥運転が行われるように制御する制御部を設けたことを特徴とする浴室暖房乾燥装置。
【請求項２】
吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、ミストノズルから温水のミストを噴霧する運転の終了後に自動的に浴室の乾燥を行う自動浴室乾燥運転の設定と解除機能を有し、自動浴室乾燥運転の設定をしたときには、ミストを噴霧する運転の終了後に送風も換気も行うことなく所定時間放置した後、換気と温風の送風をする加熱乾燥運転が行なわれるように制御し、自動浴室乾燥運転が解除されているときに加熱乾燥を実行するときには、前記所定時間放置は行われず、直ちに送風または換気または加熱乾燥運転が行なわれるように制御する制御部を具備したことを特徴とする浴室暖房乾燥装置。
【発明の詳細な説明】
【技術分野】
【０００１】
本発明は、浴室暖房乾燥装置で浴室の乾燥を行うことに関し、例えば浴室内でミストを浴びるような入浴をした後に行う乾燥に関するものである。
【背景技術】
【０００２】
近年、浴室の浴槽の上の天井に設置して浴室の暖房や浴室の乾燥や浴室の換気を行えるようにした浴室暖房乾燥機において、浴室内に温水のミストを噴霧してミストサウナ浴もできるようにしたミストサウナ機能付浴室暖房乾燥機（例えば特許文献１、特許文献２参照）が提案されている。
【０００３】
このようなミストサウナ機能付浴室暖房乾燥機を浴室に設けると浴室内でミストサウナ浴を行うことができるが、ミストサウナ浴時には浴室内の湿度は１００％、浴室内の温度は４０〜４２℃程度となっており、ミストサウナ運転終了後に浴室内の対策のために換気運転したり（ミストサウナ浴後に換気運転するものとしては、例えば特許文献３参照）、乾燥運転したりする必要がある。
【０００４】
ところが、ミストサウナ運転の後に換気運転をして浴室内を乾燥しようとすると、６時間程度の時間を要するため、１〜２時間程度で浴室内を乾燥できる加熱乾燥運転（換気と温風の送風を行う運転）が推奨されている。
【特許文献１】特開２００２−３３６３２７号公報
【特許文献２】特開２００３−３１０６９８号公報
【特許文献３】特開平７−２７５３１７号公報
【発明の開示】
【発明が解決しようとする課題】
【０００５】
しかし、ミストサウナ運転の終了直後に加熱乾燥運転をすると、浴室への温風の吹き出しにて浴室内の温度が上がって浴室内の空気の絶対湿度が高いまま（むしろ浴室内の温度が高くなるのでさらに絶対湿度が上がる）排気されることとなる。この場合、図１２に示すように浴室２内の空気は浴室暖房乾燥機Ａ、排気ダクト４７、べントキャップ４８を介して屋外に排気されるが、絶対湿度が高い温度の高い空気が排気ダクト２を通過するとき、排気ダクト４７で冷やされて排気ダクト４７内で結露し、屋外のベントキャップ４８から結露水が廊下等に滴下するという問題が発生する。特にマンションのような集合住宅の場合、ベントキャップ４８は屋外の廊下に設けられる場合が多く、廊下に結露水が滴下すると廊下の通行等の支障になるという弊害がある。
【０００６】
本発明は上記の従来の問題点に鑑みて発明したものであって、浴室内の乾燥を短時間で行えるものでありながら結露水が廊下等に滴下する弊害を防止できる浴室暖房乾燥装置を提供することを課題とするものである。
【課題を解決するための手段】
【０００７】
上記課題を解決するために本発明の請求項１の浴室暖房乾燥装置は、吸い込み口１から浴室２内の空気を吸い込むと共にこの空気を加熱して吹き出し口３から浴室２内に温風を吹き出して浴室２内を暖房する暖房機能と、吸い込み口１から浴室２内の空気を吸い込んで屋外に排気する換気機能と、吸い込み口１から浴室２内の空気を吸い込んで一部の空気を屋外に排気すると共に残りの空気を加熱して吹き出し口３から温風を浴室２内に吹き出すことで浴室２を乾燥する加熱乾燥機能と、ミストノズル４から浴室２内に温水のミストを噴霧するミスト噴霧機能とを具備し、ミストノズル４から温水のミストを噴霧すると共に温風を送風するミストサウナ運転を実行可能な浴室暖房乾燥装置であって、浴室２の乾燥を行うにあたって操作器５の乾燥スイッチ６が操作されたときに、ミストサウナ運転の終了後一定時間内であるか否かが判定されると共に浴室２内の温度が所定温度以上であるか否かが判定され、ミストサウナ運転の終了後一定時間内であるか、または浴室２内の温度が所定温度以上であるときには、先に吸い込み口１から浴室２内の空気を吸い込んで一部の空気を屋外に排気すると共に残りの空気を吹き出し口３から浴室２内に吹き出す涼風運転が所定時間行われてから換気と温風の送風をする加熱乾燥運転が行われ、ミストサウナ運転の終了後一定時間以上経過し且つ浴室２内の温度が所定温度以下であるときには、前記涼風運転が行われずに直ぐに前記加熱乾燥運転が行われるように制御する制御部Ｂを設けたことを特徴とする。
【０００８】
上記のように構成したことにより、ミストサウナ運転をした後に浴室２を乾燥するとき、換気と温風の送風をする加熱乾燥運転の前に浴室２内の空気が冷やされ、浴室２内の空気の絶対湿度が下がり、この状態から加熱乾燥運転がされるために排気ダクト４７で冷やされても排気ダクト４７で結露しにくい。また換気と温風の送風をする加熱乾燥運転で主に浴室２の乾燥を行うので浴室２の乾燥は短時間で行なわれる。従って、浴室２内の乾燥を短時間で行えるものでありながら結露水が廊下等に滴下する弊害を防止できる。また、ミストサウナ運転を行った後に涼風運転をすることで積極的に浴室２内の空気の絶対湿度を下げると共に浴室２の乾燥もでき、結露の発生を一層抑えることができると共に浴室２の乾燥を一層促進できる。また、ミストサウナ運転の終了後一定時間以上経過し且つ浴室２内の温度が所定温度以下であるときには、前記涼風運転を行わずに直ぐに前記加熱乾燥運転を行うことができる。
【０００９】
また本発明の請求項２のミストサウナ装置は、吸い込み口１から浴室２内の空気を吸い込むと共にこの空気を加熱して吹き出し口３から浴室２内に温風を吹き出して浴室２内を暖房する暖房機能と、吸い込み口１から浴室２内の空気を吸い込んで屋外に排気する換気機能と、吸い込み口１から浴室２内の空気を吸い込んで一部の空気を屋外に排気すると共に残りの空気を加熱して吹き出し口３から温風を浴室２内に吹き出すことで浴室２を乾燥する加熱乾燥機能と、ミストノズル４から浴室２内に温水のミストを噴霧するミスト噴霧機能とを具備した浴室暖房乾燥装置であって、ミストノズル４から温水のミストを噴霧する運転の終了後に自動的に浴室２の乾燥を行う自動浴室乾燥運転の設定と解除機能を有し、自動浴室乾燥運転の設定をしたときには、ミストを噴霧する運転の終了後に送風も換気も行うことなく所定時間放置した後、換気と温風の送風をする加熱乾燥運転が行なわれるように制御し、自動浴室乾燥運転が解除されているときに加熱乾燥を実行するときには、前記所定時間放置は行われず、直ちに送風または換気または加熱乾燥運転が行なわれるように制御する制御部Ｂを具備したことを特徴とする。
【００１０】
上記のように構成したことにより、自動浴室乾燥運転の設定をしたときには、ミストを噴霧する運転をした後に浴室２を乾燥するとき、換気と温風の送風をする加熱乾燥運転の前に浴室２内の空気が冷やされ、浴室２内の空気の絶対湿度が下がり、この状態から加熱乾燥運転がされるために排気ダクト４７で冷やされても排気ダクト４７で結露しにくい。また換気と温風の送風をする加熱乾燥運転で主に浴室２の乾燥を行うので浴室２の乾燥は短時間で行なわれる。従って、浴室２内の乾燥を短時間で行えるものでありながら結露水が廊下等に滴下する弊害を防止できる。また、加熱乾燥運転の開始を時間的にずらせるだけの簡単な制御で結露の発生を抑えると共に乾燥を促進することができる。また、自動浴室乾燥運転が解除されているときに加熱乾燥を実行するときには直ちに送風または換気または加熱乾燥運転を行なうことができる。
【発明の効果】
【００１１】
本発明は叙述の如く構成されているので、ミストを噴霧する運転をした後に浴室を乾燥するとき、換気と温風の送風をする加熱乾燥運転の前に浴室内の空気が冷やされ、浴室内の空気の絶対湿度が下がり、この状態から加熱乾燥運転がされるために排気ダクトで冷やされても排気ダクトで結露しにくいものであり、しかも換気と温風の送風をする加熱乾燥運転で主に浴室の乾燥を行うので浴室の乾燥は短時間で行なわれるものであり、従って、浴室内の乾燥を短時間で行えるものでありながら結露水が廊下等に滴下する弊害を防止できるという効果がある。
【図面の簡単な説明】
【００１２】
【図１】本発明のミストサウナ装置の浴室暖房乾燥機の一例を示す縦断面図である。
【図２】同上の浴室暖房乾燥機の内部の配管を説明する管路図である。
【図３】同上の浴室暖房乾燥機を浴室に設置した状態の一部切欠斜視図である。
【図４】同上の制御回路のブロック図である。
【図５】同上の脱衣所用の操作器の正面図である。
【図６】同上の浴室用の操作器の正面図である。
【図７】同上の浴室の乾燥の一例のフローチャートである。
【図８】同上の動作を説明する説明図である。
【図９】同上の他の例の動作を説明する説明図である。
【図１０】同上の自動浴室運転の操作を説明する説明図である。
【図１１】同上の浴室の乾燥の他の例のフローチャートである。
【図１２】同上の従来例を説明する説明図である。
【発明を実施するための形態】
【００１３】
以下、本発明を添付図面に示す実施形態に基いて説明する。図１乃至図３に示すように本発明の浴室暖房乾燥装置はユニットバスのような浴室２にミスト機能付浴室暖房乾燥機（以下、単に浴室暖房乾燥機という）Ａを設置して構成されている。この浴室暖房乾燥機Ａは浴室２内の暖房をしたり、浴室２内を換気したり、浴室２内を乾燥したり、浴室２内に干した洗濯物を乾燥したり、浴室２内に涼風を送風したり、浴室２内に温水のミストを噴霧してミスト浴をしたり、浴室２内に温水のミストを噴霧すると共に温風を吹き出してミストサウナ浴をしたりする機能を有する。
【００１４】
また浴室暖房乾燥機Ａを浴室２に設置するとき、浴槽７の上方の位置で浴室２の天井８に浴室暖房乾燥機Ａを設置してある。浴室暖房乾燥機Ａの本体９は浴室２の天井裏に配置してあり、吊り金具１０にて天井スラブ等に吊り支持してあり、本体９の下面を浴室２の天井８の開口部１１に臨ませてある。天井８の下から開口部１１を覆うようにグリル板１２を配置してあり、グリル板１２を本体９の下面側に取り付けてある。
【００１５】
本体９内には温風用熱交換器１３や送風機１４を内装してある。この温風用熱交換器１３は内部に温水を通すことで外部を流れる空気と熱交換するようになっている。この温風用熱交換器１３は本体９に配管した暖房用温水管路１５の途中に配置してあり、暖房用温水管路１５には給湯暖房機のような熱源機１６から温水が供給されるようになっている。暖房用温水管路１５の途中には温風用熱交換器１３への温水の供給を開閉する熱動弁のような暖房用開閉弁１７を設けてあり、暖房用温水管路１５の途中にはこの管路を流れる温水の温度を検出する暖房温水サーミスタＴＨ２を配置してある。また送風機１４には循環用ファン１４ａと換気用ファン１４ｂとがある。また本体９の下面側には循環用ファン１４ａで送風される空気を吹き出す吹き出し口３を設けてあり、この吹き出し口３には可動ルーバー１８を回転自在に装着してあり、可動ルーバー１８を回転することにより吹き出し口３を開閉したり、吹き出し口３から吹き出す風向を変えることができるようになっている。グリル板１２には浴室２内に空気を吸い込む吸い込み口１を設けてあり、この吸い込み口１の近傍には浴室温度サーミスタＴＨ３を配置してある。
【００１６】
また浴室暖房乾燥機Ａにはミスト浴の機能を持たせるためのミスト発生部１９を組み込んである。ミスト発生部１９のミストノズル４はグリル板１２の部分に配置してあり、ミスト用給水管路２０をミストノズル４に連通させてある。このミストノズル４としては２個のミストノズル４ａ，４ｂがあり、各ミストノズル４ａ，４ｂは０．５リットル／ｍｉｎ程度の流量で温水のミストを噴霧するようになっている。ミストノズル４ａ，４ｂの手前には電磁弁のようなミスト開閉弁２１ａ，２１ｂを設けてあり、ミスト開閉弁２１ａ，２１ｂの開閉にてミストノズル４ａやミストノズル４ｂから選択的に温水のミストが噴霧されるようになっている。２つのミストノズル４ａ，４ｂから温水のミストを噴霧すると、強のミスト量でミストを噴霧でき、一方のミストノズル４ａまたはミストノズル４ｂから温水のミストを噴霧すると、弱のミスト量で噴霧できるようになっている。本例の場合、ミスト発生部１９は本体９の上に搭載してある。
【００１７】
ミスト用給水管路２０には水道水のような上水が供給されるようになっており、入口側から順にストレーナ２２、電磁弁のような給水開閉弁２３を設けてある。上記暖房用温水管路１５には温風用熱交換器１３と並列になるようにミスト加熱用管路２４を設けてあり、このミスト加熱用管路２４の途中にはミスト加熱用管路２４を流れる温水の流れを制御する比例弁２５を設けてある。またミスト加熱用管路２４とミスト用給水管路２０との間には液―液熱交換器であるミスト用熱交換器２６を配置してあり、ミスト加熱用管路２４を流れる温水でミスト用給水管路２０を流れるミスト用の水が加熱されるようになっている。ミスト用熱交換器２６とミスト開閉弁２１ａ，２１ｂとの間でミスト用給水管路２０からミスト用排水管路２７を分岐してあり、ミスト用給水管路２０内の水をミスト用排水管路２７から浴室２内または浴室２外に排出できるようになっている。ミスト用排水管路２７には電磁弁のような排水開閉弁２８と負圧を発生して排水が逆流するのを防止するバキュームブレーカ２９を設けてある。ミスト用熱交換器２６とミスト開閉弁２１ａ，２１ｂとの間でミスト用給水管路２０にはミスト用給水管路２０を流れる温水の温度を検出するミスト温度サーミスタＴＨ１を配置してある。
【００１８】
また浴室暖房乾燥機Ａは浴室２外の脱衣所に設けた操作器５や浴室２内に設けた操作器３０にてリモコン操作されるようになっている。脱衣所用の操作器５には図５に示すようにタイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９を設けてある。浴室用の操作器３０には図６に示すように状態表示部４０、ミストサウナスイッチ３４、ミストスイッチ４１、温度設定スイッチ４２、暖房スイッチ３６、涼風スイッチ３７、風向スイッチ３３、ミスト入浴時間のストップウォッチのスタートストップスイッチ４３、リセットスイッチ４５、停止スイッチ３９を設けてある。図４は浴室暖房乾燥機Ａの制御回路を示し、操作器５や操作器３０をリモコン操作することで制御部Ｂにて次のように制御できるようになっている。
【００１９】
脱衣所用の操作器５または浴室用の操作器３０を暖房スイッチ３６を操作して浴室２内の暖房運転をした場合、暖房用開閉弁１７を開いて温風用熱交換器１３に温水が供給され、換気用ファン１４ｂの停止状態で循環用ファン１４ａが駆動され、可動ルーバー１８が開状態にされて吹き出し口３が開かれる。これにより浴室２内の空気が吸い込み口１から本体９内に吸い込まれ、温風用熱交換器１３で温水と熱交換することで加熱された温風が吹き出し口３から吹き出されるように空気が循環し、浴室２内の暖房がされる。このとき暖房スイッチ３６の強弱の切り替えにて循環用ファン１４ａの送風量を変えて強弱の切り替えができる。また風向スイッチ３３を操作することにより吹き出し口３から吹き出す温風の向きを変えることができる。
【００２０】
脱衣所用の操作器５の換気スイッチ３８を操作して浴室２内の換気をする換気運転をした場合、暖房用開閉弁１７が閉じられて温風用熱交換器１３への温水の循環が停止されており、循環用ファン１４ａを停止した状態で換気用ファン１４ｂが駆動され、可動ルーバー１８が開状態にされて吹き出し口３が閉じられる。これにより、浴室２内の空気が吸い込み口１から本体９内に吸い込まれ、排気ダクト４７を介して外部に排気され、浴室２内の換気が行なわれる。このとき、換気スイッチ３８の強弱の切り替えにて換気用ファン１４ｂの送風量を変えて強弱の切り替えができる。
【００２１】
脱衣所用の操作器５または浴室用の操作器３０の涼風スイッチ３７を操作して浴室２内に涼風を送風する運転をした場合、暖房用開閉弁１７を閉じて温風用熱交換器１３への温水の供給が停止されており、循環用ファン１４ａと換気用ファン１４ｂが駆動されると共に可動ルーバー１８を開状態にして吹き出し口３が開かれる。これにより浴室２内の空気が吸い込み口１から本体９内に吸い込まれ、一部の空気が排気ダクト４７を介して外部に排気され、残りの空気が吹き出し口３から浴室２内に吹き出され、浴室２内に涼風の送風が行なわれる。また風向スイッチ３３を操作することにより吹き出し口３から吹き出す送風の向きを変えることができる。
【００２２】
また脱衣所用の操作器５や浴室用の操作器３０のミストサウナスイッチ３４を操作してミストサウナ運転をした場合、給水開閉弁２３が開かれてミスト用給水管路２０に給水されると共に比例弁２５が開かれてミスト加熱用管路２４に温水が循環させられる。これによりミスト用熱交換器２６にてミスト用給水管路２０を流れる水が加熱されて温水がミスト用給水管路２０を流れる状態となる。この状態でミスト開閉弁２１ａ，２１ｂが開かれて温水のミストがミストノズル４ａ，４ｂから噴霧される。一方、ミストサウナ運転をしたとき、暖房用開閉弁１７を開いて温風用熱交換器１３に温水が供給され、換気用ファン１４ｂの停止状態で循環用ファン１４ａが駆動され、可動ルーバー１８が開状態にされて吹き出し口３が開かれる。これにより、浴室２内の空気が吸い込み口１から本体９内に吸い込まれ、温風用熱交換器１３で温水と熱交換することで加熱された温風が吹き出し口３から吹き出されるように空気が循環し、浴室２内の暖房がされる。このようにミストノズル４ａ，４ｂからミストが噴霧されると共に温風で暖房されることによりミストサウナ浴が行なわれる。このとき、ミストサウナスイッチ３４を操作することによりミストサウナ強の状態とミストサウナ弱の状態に切り替えることができる。ミストサウナ強の状態に切り替えると一対のミストノズル４ａ，４ｂからミストが噴霧され、ミストサウナ弱の状態に切り替えるとミストノズル４ａまたはミストノズル４ｂの一方からミストが噴霧される。
【００２３】
また浴室用の操作器３０のミストスイッチ４１を操作してミスト運転をした場合、給水開閉弁２３が開かれてミスト用給水管路２０に給水されると共に比例弁２５が開かれてミスト加熱用管路２４に温水が循環させられる。これによりミスト用熱交換器２６にてミスト用給水管路２０を流れる水が加熱されて温水がミスト用給水管路２０を流れる状態となる。この状態でミスト開閉弁２１ａ，２１ｂが開かれて温水のミストがミストノズル４ａ，４ｂから噴霧される。このとき、ミストスイッチ４１を操作することによりミスト強の状態とミスト弱の状態に切り替えることができる。ミスト強の状態に切り替えると、一対のミストノズル４ａ，４ｂの両方からミストが噴霧され、ミスト弱の状態に切り替えると、ミストノズル４ａまたはミストノズル４ｂのいずれか一方からミストが噴霧される。
【００２４】
ところで、入浴した後、特にミストサウナ浴やミスト浴をした後は浴室２内が多湿状態になっており、浴室２内を乾燥する必要がある。本発明では入浴後に、脱衣所用の操作器５の乾燥スイッチ６を操作して浴室２内の乾燥をする場合、浴室温度サーミスタＴＨ３で浴室２内の温度が検出され、浴室２の温度が所定温度（本例の場合例えば３５℃）以上のの場合、吸い込み口１から浴室２内の空気を吸い込んで一部の空気を排気ダクト４７から屋外に排気すると共に残りの空気を吹き出し口３から浴室２内に吹き出す涼風運転を所定時間するか、若しくは吸い込み口１から浴室２内の空気を吸い込んで排気ダクト４７にて屋外に排気する換気運転を所定時間するか、若しくは吸い込み口１から浴室２内の空気を吸い込んで吹き出し口３から吹き出すように循環送風する送風運転を所定時間するかしてから、換気と温風の送風をする加熱乾燥運転を行うように制御部Ｂで制御され、浴室２内の温度が所定温度以下の場合、加熱乾燥運転が直ちに行われるように制御部Ｂで制御されるようになっている。
【００２５】
上記加熱乾燥運転をしたときは暖房用開閉弁１７が開かれて温風用熱交換器１３に温水が供給され、循環用ファン１４ａ及び換気用ファン１４ｂが駆動され、可動ルーバー１８が開状態にされて吹き出し口３が開かれる。これにより浴室２内の空気が吸い込み口１から本体９内に吸い込まれ、温風用熱交換器１３で温水と熱交換することで加熱された温風が吹き出し口３から吹き出すように空気が循環し、一方、本体９内に吸い込まれた空気の一部が排気ダクト４７を介して外部に排気される。
【００２６】
図７は上記のように運転を制御する一例のフローチャートを示すものである。この図では乾燥スイッチ６を操作したとき、浴室２の温度が所定温度以上の場合、先に涼風運転された後に加熱乾燥運転されるものを示している。図８のように例えばミストサウナまたはミスト運転をオフしたりした状態から浴室２内を乾燥するため、脱衣所用の操作器５の乾燥スイッチ６を操作して浴室乾燥状態になるようにスイッチをオンにすると、涼風を送風する涼風運転が開始され、浴室２内の温度が浴室温度サーミスタＴＨ３で検出され、浴室２内の温度が所定温度例えば３５℃以上であると、先ず、例えば１０分間涼風運転が行われ、次いで例えば５分間加熱乾燥運転が行われ、次いで例えば５分間涼風運転が行われ、その後、加熱乾燥運転が行われて運転タイマーで設定された時間だけ加熱乾燥運転が行われて乾燥は停止される。涼風運転を開始したときの浴室２内の温度が例えば３５℃以下のとき涼風運転を行わず、そのまま加熱乾燥運転が行われて運転タイマーで設定された時間だけ加熱乾燥運転が行われて乾燥は停止される。
【００２７】
なお、本例の場合、操作器５の乾燥スイッチ６を操作することにより上記のように浴室乾燥状態に設定できる他に、浴室２内に干した衣類の洗濯物を乾燥する衣類乾燥状態に設定を切り替えることができるようになっている。乾燥スイッチ６を操作して衣類乾燥状態に設定したときも上記のように制御されて乾燥が行われるようになっている。ただし、乾燥スイッチ６を衣類乾燥状態にすると、洗濯物が乾きやすい下方等の方向に風向を向けて乾燥され、乾燥スイッチ６を浴室乾燥状態にすると、浴室２内全体に風が行き亙るように風向をスイングさせたりして乾燥される。
【００２８】
上記のように制御部Ｂで制御して運転することにより、乾燥スイッチ６を操作して浴室２の乾燥を行うとき、浴室２内の温度が例えば３５℃以上の場合、換気と温風を送風する加熱乾燥運転の前に涼風運転で浴室２内の空気が冷やされ、浴室２内の空気の絶対湿度が下がる。特にミストサウナの運転の後の場合、温度が下がって絶対湿度が下がる。この状態から換気と温風の送風をする加熱乾燥運転が行なわれるために排気ダクト４７で冷やされても排気ダクト４７で結露しにくい。また換気と温風を送風する加熱乾燥運転で主に浴室２の乾燥を行うので浴室２の乾燥は短時間で行なわれる。従って、浴室２内の乾燥を短時間で行えるものでありながら結露水が廊下等に滴下する弊害を防止できる。
【００２９】
また上記例では加熱乾燥運転の前に涼風運転しているが、この涼風運転に代えて、吸い込み口１から浴室２内の空気を吸い込んで屋外に排気する換気運転または、吸い込み口１から浴室２内の空気を吸い込んで吹き出し口３から吹き出すように循環送風する送風運転をしても同様に実施できる。ただし、換気運転または送風運転に比べて涼風運転の方が浴室２内の絶対湿度を速く効果的に下げることができる。
【００３０】
また上記例では涼風運転した後、加熱乾燥運転し、再度涼風運転し、その後加熱乾燥運転するようになっているが、図９に示すように涼風運転した後に加熱乾燥運転するだけでもよい。ただし、上記例のように涼風運転の後に加熱乾燥運転をした後に、再度涼風運転をすると、涼風運転で浴室２内の絶対湿度を下げた後に加熱乾燥運転したとき絶対湿度が多少上がっても再度涼風運転することで絶対湿度を下げることができ、結露の発生を確実に抑えることができる。
【００３１】
なお、上記の説明ではミストサウナまたはミスト浴をした後に乾燥スイッチ６を操作して乾燥することについて主に説明したが、浴槽７に浸かったり、洗い場でシャワーを浴びたりする通常の入浴をした後に浴室２を乾燥するために乾燥スイッチ６を操作したときも同様に制御されて乾燥される。
【００３２】
上記のようにミストサウナやミスト運転終了後や通常の入浴の後に乾燥スイッチ６を操作することで浴室２の乾燥を行うことができるようになっているが、ミストサウナやミスト運転の終了後に自動浴室乾燥運転を行う機能を有していてもよい。この自動浴室乾燥運転はミストサウナやミスト運転の終了後に、換気も送風もせずに一定時間放置した後に加熱乾燥運転を行うように制御部Ｂで制御できるようになっている。この自動浴室乾燥運転機能は、自動運転する状態に設定したり、自動運転するのを解除（オフ）したりできるようになっている。この自動浴室乾燥運転の設定や解除は例えば次の操作で設定できるようになっている。浴室乾燥運転中に乾燥スイッチ６を２秒以上押す。すると、タイマー表示部３１に図１０に示すような表示が出る。「Ａ-：-−」は自動運転解除（オフ）の表示で、「Ａ１：００」は１時間後に加熱乾燥運転が開始されるという表示で、「Ａ２：００」は２時間後に加熱乾燥運転が開始されるという表示で、「Ａ３：００」は３時間後に加熱乾燥運転が開始されるという表示である。この表示状態でタイマー設定スイッチ３２の∧／∨の操作で「Ａ-：- -」、「Ａ１：００」、「Ａ２：００」、「Ａ３：００」の切り替えができ、自動運転の設定や解除ができる。
【００３３】
自動浴室乾燥運転が解除されているときはミストサウナやミスト運転の終了後に、浴室２の乾燥は自動的には行なわれることがない。このとき、前述のように乾燥スイッチ６を手動操作して浴室２を乾燥する運転を行う。
【００３４】
自動浴室乾燥運転が設定されているときは、ミストサウナやミストの運転の終了後、設定された時間だけ換気も送風もせずに放置された後に換気と温風の送風をする加熱乾燥運転を行う。換気も送風もせずに所定時間放置されても浴室２内の絶対湿度は下がり、加熱乾燥運転をしても換気ダクト４７に結露を生じたりすることがない。
【００３５】
上記例ではミストサウナやミスト運転の終了後に限らず、乾燥スイッチ６を操作すると、浴室２内の温度が所定温度以上の場合、先に涼風運転等をして浴室２の温度を下げてから加熱乾燥運転をするようになっていたが、ミストサウナやミスト運転の終了後に乾燥スイッチ６を操作したときに下記のように制御されるようにしてもよい。この場合、例えば図１１のフローチャートのように制御することができる。
【００３６】
ミストサウナやミスト運転の終了後に、乾燥スイッチ６をオンすると、涼風運転が開始され、ミストサウナまたはミスト運転終了後例えば１０分以内か判定され、また浴室２の温度が例えば３５℃以上か判定される。そしてミストサウナまたはミスト運転終了後１０分以内であるか、または浴室２内の温度が３５℃以上であると、例えば１０分間涼風運転され、次いで例えば５分間加熱乾燥運転され、次いで例えば５分間涼風運転され、その後、加熱乾燥運転が行なわれて運転タイマーで設定された時間だけ加熱乾燥運転が行なわれて運転が停止される。乾燥スイッチ６をオンしたとき、ミストサウナまたはミスト運転終了後１０分以上経過し、且つ浴室２内の温度が３５℃以下の場合は、直ぐに、加熱乾燥運転が行なわれて運転タイマーで設定された時間だけ加熱乾燥運転が行なわれて運転が停止される。このようにすることで、換気ダクト４７での結露の発生を抑えて浴室２の乾燥ができる。
【符号の説明】
【００３７】
１  吸い込み口
２  浴室
３  吹き出し口
４  ミストノズル
５  操作器
６  乾燥スイッチ
【図１】
0005054738.tif 000002
【図２】
0005054738.tif 000003
【図３】
0005054738.tif 000004
【図４】
0005054738.tif 000005
【図５】
0005054738.tif 000006
【図６】
0005054738.tif 000007
【図７】
0005054738.tif 000008
【図８】
0005054738.tif 000009
【図９】
0005054738.tif 000010
【図１０】
0005054738.tif 000011
【図１１】
0005054738.tif 000012
【図１２】
0005054738.tif 000013